(57)【要約】      （修正有）【課題】下部構造体の損傷する可能性が低減すると共に、補強の信頼性が向上する連結構造体を提供する。【解決手段】連結構造体１１は、コンクリートからなる下部構造体２０と、下部構造体２０に固定され、上方に延びる鋼製のストッパー棒３１と、下部構造体２０の上面において、ストッパー棒３１の周りに設けられる根巻コンクリートと、下部構造体２０及び根巻コンクリートの上方に配置され、ストッパー棒３１と係合して水平変位が最大変位以下に制限される上部構造体５０と、根巻コンクリートを下部構造体２０に固定する固定手段としてのアンカーボルトとを備える、このように構成することによって、根巻コンクリートの浮き上がりを防止することができるため、下部構造体２０の損傷する可能性が低減する。【選択図】図１
2019108658.tif 000002
【特許請求の範囲】
【請求項１】
連結構造体であって、
下部構造体と、
前記下部構造体に固定され、上方に延びるストッパー棒と、
前記下部構造体の上面において、前記ストッパー棒の周りに設けられる根巻コンクリートと、
前記下部構造体及び前記根巻コンクリートの上方に配置され、前記ストッパー棒と係合して水平変位が最大変位以下に制限される上部構造体と、
前記根巻コンクリートを前記下部構造体に固定する固定手段とを備える、連結構造体。
【請求項２】
更に、前記ストッパー棒の周りに配置されると共に前記根巻コンクリートの上面に取り付けられ、前記上部構造体が前記最大変位の状態にある時、変形した前記ストッパー棒の側壁に当接する補強プレートとを備え、
前記固定手段は、前記補強プレートを介して、前記根巻コンクリートを前記下部構造体に固定する、請求項１記載の連結構造体。
【発明の詳細な説明】
【技術分野】
【０００１】
この発明は連結構造体に関し、特に地震時等において橋梁等の上部構造体の変位による下部構造体の損傷を低減するための連結構造体に関するものである。
【背景技術】
【０００２】
図２３は、特許文献１で開示された従来の橋梁落下防止装置の縦断側面図であり、図２４は、図２３で示したＸＸＩＶ矢視拡大断面図であり、図２５は、図２４で示したＸＸＶ−ＸＸＶラインから見た概略断面図である。
【０００３】
これらの図を参照して、従来の橋梁落下防止装置９１は、プレストレスコンクリート桁９４の間に敷設される上部構造物９７の端部の横桁９８と橋脚９２とを連結するように取り付けられる。
【０００４】
橋脚９２上に、ゴム等の支持部材９３を介してプレストレスコンクリート桁９４が所定の間隔を隔てて載置され、その上に床版９５及び舗装９６が敷設される。
【０００５】
橋梁落下防止装置９１は、アンカーバー１０１とその上部１０３に嵌めて装着された硬質発泡体１０２とからなり、アンカーバー１０１と硬質発泡体１０２とは容易には外れない程度に接合している。
【０００６】
これにより、複数の橋梁落下防止装置９１を容易に、且つ正確に設置できる。又、地震等による横荷重を複数の橋梁落下防止装置９１が各々等しく支持することができ、より確実に橋梁の落下を防止することができる。
【先行技術文献】
【特許文献】
【０００７】
【特許文献１】特開平８−１７７０１４号公報
【発明の概要】
【発明が解決しようとする課題】
【０００８】
上記のような従来の橋梁落下防止装置９１では、上部構造物９７に横荷重である力が加わり、水平変位がある一定以上になると、アンカーバー１０１を介して、図２５の実線の矢印で示したようにアンカーバー１０１が固定された橋脚９２が損傷する虞があった。
【０００９】
図２６は、図２３で示した橋梁落下防止装置に、力が加わったときの状態について簡略的に説明する模式図である。
【００１０】
図２６の（１）を参照して、アンカーバー１０１の上部に対して、右方から水平方向の力Ｆが、かかった状態である。アンカーバー１０１は、橋脚９２に固定されているため、アンカーバー１０１の左方に位置する橋脚９２から、アンカーバー１０１に対して力ｆがはたらく。このとき、次式の数１のように、力Ｆと力ｆとは等しい関係にあると簡略化する。以下同様にして検討する。
【００１１】
【数１】
2019108658.tif 000003
図２６の（２）を参照して、アンカーバー１０１の上部に対して、右方から水平方向の力Ｆｍが、かかった状態にあり、橋脚９２が損傷する直前の状態である。アンカーバー１０１の露出した上部は左方へ湾曲し、アンカーバー１０１の水平変位は、最大変位δである。このとき、アンカーバー１０１の左方に位置する橋脚９２から、アンカーバー１０１に対して力ｆｍがはたらく。このとき、力Ｆｍと力ｆｍとは、次式の数２のような関係にある。
【００１２】
【数２】
2019108658.tif 000004
従って、Ｆｍ以上の力がアンカーバー１０１の上部に対してかかると、橋脚９２はアンカーバー１０１を介して伝わった力に耐えきらずに、損傷してしまうことになる。橋脚９２が損傷すると、アンカーバー１０１の設置位置が不安定となり、変位制限効果が十分発揮できない。
【００１３】
この発明は、上記のような課題を解決するためになされたもので、下部構造体の損傷する可能性が低減すると共に、補強の信頼性が向上する連結構造体を提供することを目的とする。
【課題を解決するための手段】
【００１４】
上記の目的を達成するために、請求項１記載の発明は、連結構造体であって、下部構造体と、下部構造体に固定され、上方に延びるストッパー棒と、下部構造体の上面において、ストッパー棒の周りに設けられる根巻コンクリートと、下部構造体及び根巻コンクリートの上方に配置され、ストッパー棒と係合して水平変位が最大変位以下に制限される上部構造体と、根巻コンクリートを下部構造体に固定する固定手段とを備えるものである。
【００１５】
このように構成すると、根巻コンクリートの浮き上がりを防止することができる。
【００１６】
請求項２記載の発明は、請求項１記載の発明の構成において、更に、ストッパー棒の周りに配置されると共に根巻コンクリートの上面に取り付けられ、上部構造体が最大変位の状態にある時、変形したストッパー棒の側壁に当接する補強プレートとを備え、固定手段は、補強プレートを介して、根巻コンクリートを下部構造体に固定するものである。
【００１７】
このように構成すると、根巻コンクリートにかかる荷重を分散させることができる。
【発明の効果】
【００１８】
以上説明したように、請求項１記載の発明は、根巻コンクリートの浮き上がりを防止することができるため、下部構造体の損傷する可能性が低減する。
【００１９】
請求項２記載の発明は、請求項１記載の発明の効果に加えて、根巻コンクリートにかかる荷重を分散させることができるため、根巻コンクリートの耐久性の向上を図ることができる。
【図面の簡単な説明】
【００２０】
【図１】この発明の第１の実施の形態による連結構造体の使用状態を示す概略断面図である。
【図２】図１で示した連結構造体の補強プレートの概略斜視図である。
【図３】図２で示したＩＩＩ−ＩＩＩラインから見た概略断面図である。
【図４】図１で示した連結構造体の上部構造体に力が加わり水平方向に変位した状態を示す概略断面図である。
【図５】図１で示した連結構造体のストッパー棒に、力が加わったときにおける力の分散の原理について説明する模式図であって、図２６に対応した図である。
【図６】図４で示したＶＩ−ＶＩラインから見た補強プレートの状態を示す概略断面図である。
【図７】この発明の第２の実施の形態による連結構造体の補強プレートの状態を示す概略断面図であって、図６に対応した図である。
【図８】この発明の第３の実施の形態による連結構造体の使用状態を示す概略断面図であって、図１に対応した図である。
【図９】図８で示したＩＸ−ＩＸラインから見た概略断面図である。
【図１０】図８で示した連結構造体の上部構造体に力が加わり水平方向に変位した状態を示す概略断面図であって、図４に対応した図である。
【図１１】図８で示した連結構造体の設置工程の一部を示す概略断面図であって、図８の“Ｘ”部分に対応した図である。
【図１２】図１１で示した設置工程に続く連結構造体の設置工程の他の一部を示す概略斜視図である。
【図１３】この発明の第４の実施の形態による連結構造体の補強プレートを示す概略断面図であって、図３に対応した図である。
【図１４】図１３で示した連結構造体の補強プレートを用いた設置工程の一部を示す概略断面図である。
【図１５】図１４で示した設置工程に続く連結構造体の設置工程の他の一部を示す概略斜視図である。
【図１６】図１５で示したＸＶＩ−ＸＶＩラインから見た概略断面図である。
【図１７】この発明の第５の実施の形態による連結構造体を示す概略断面図であって、図９に対応した図である。
【図１８】この発明の第６の実施の形態による連結構造体を示す概略断面図であって、図８のＸ部分に対応した図である。
【図１９】図１８で示したＸＩＸ−ＸＩＸラインから見た補強プレートの状態を示す概略断面図である。
【図２０】図１８で示した連結構造体においてアンカーボルトを用いない場合の構成を示した比較図である。
【図２１】図２０で示したＸＸＩ−ＸＸＩラインから見た補強プレートの状態を示す概略断面図である。
【図２２】図２０で示した連結構造体において矢印Ｋ方向に水平力が加わった場合の状態を示す模式図である。
【図２３】特許文献１で開示された従来の橋梁落下防止装置の縦断側面図である。
【図２４】図２３で示したＸＸＩＶ矢視拡大断面図である。
【図２５】図２４で示したＸＸＶ−ＸＸＶラインから見た概略断面図である。
【図２６】図２３で示した橋梁落下防止装置に、力が加わったときの状態について説明する模式図である。
【発明を実施するための形態】
【００２１】
図１は、この発明の第１の実施の形態による連結構造体の使用状態を示す概略断面図であり、図２は、図１で示した連結構造体の補強プレートの概略斜視図であり、図３は、図２で示したＩＩＩ−ＩＩＩラインから見た概略断面図である。
【００２２】
これらの図を参照して、第１の実施の形態による連結構造体１１は、コンクリートからなる下部構造体２０と、下部構造体２０に固定され、上方に延びる円柱形状を有する鋼製のストッパー棒３１と、下部構造体２０の上方に配置され、ストッパー棒３１と係合して水平変位が最大変位以下に制限される橋梁の橋桁等の上部構造体５０と、ストッパー棒３１の周りに配置されると共に下部構造体２０の上面２１に取り付けられ、上部構造体５０が後述する最大変位δの状態にある時、変形したストッパー棒３１の側壁３２に当接する補強プレート６１とから構成される。ここでは、ストッパー棒３１の直径Ｒ１は、３２ｍｍに設定されている。補強プレート６１の厚さＨ１は、４５ｍｍに設定されている。又、ストッパー棒３１における下部構造体２０に埋設された長さＨ２は、４８０ｍｍに設定されている。
【００２３】
補強プレート６１は、鉄板等からなる平板形状を有し、ストッパー棒３１の全周を囲う貫通口６４が中央に形成されている。又、補強プレート６１は、その下面８１に係合穴７７を有する４つの凹み部８０が貫通口６４の周囲の四隅付近に等間隔で形成されている。このように形成することで、後述するボルト２６の頭部２７が補強プレート６１の上面に露出しないため、上部構造体５０の適切な配置を妨げない。ここでは、補強プレートの平面視における横の長さＷ１は、３００ｍｍに、縦の長さＬ１は、３００ｍｍに設定されている。貫通口６４の直径Ｒ２は、ストッパー棒３１の直径Ｒ１（３２ｍｍ）よりも大きく設定されている。尚、貫通口６４の直径Ｒ２は、ストッパー棒３１の直径Ｒ１と等しく形成されても良い。
【００２４】
下部構造体２０は、上面２１に４つのアンカー２４に螺合する４つのボルト２６が設置され、補強プレート６１は、ボルト２６に係合する４つの係合穴７７を介して、下部構造体２０に固定される。
【００２５】
上部構造体５０の下面５１には、ストッパー棒３１を挿入できると共に、ストッパー棒３１によって上部構造体５０の水平変位が規制されるストッパー孔５３が形成されている。このように形成することにより、上部構造体５０の水平変位が規制されるため、上部構造体５０の配置の設定が容易となる。
【００２６】
図４は、図１で示した連結構造体の上部構造体に力が加わり水平方向に変位した状態を示す概略断面図である。
【００２７】
図を参照して、連結構造体１１において、ストッパー棒３１の側壁３２は、補強プレート６１の貫通口６４の内壁に当接した状態である。上部構造体５０からストッパー棒３１に対して、破線の矢印の方向へ力が加わっている。この力が伝達して、ストッパー棒３１から補強プレート６１に対して、実線の矢印の方向へ力が加わっている。
【００２８】
このときの力のかかり具合について、次に説明する。
【００２９】
図５は、図１で示した連結構造体のストッパー棒に、力が加わったときにおける力の分散の原理について説明する模式図であって、図２６に対応した図であり、図６は、図４で示したＶＩ−ＶＩラインから見た補強プレートの状態を示す概略断面図である。
【００３０】
図５の（１）を参照して、ストッパー棒３１の上部に対して、右方から水平方向の力Ｆが、かかった状態である。図１及び図３で示したように、補強プレート６１の貫通孔６４の直径Ｒ２は、ストッパー棒３１の直径Ｒ１よりも大きく設定されているため、ストッパー棒３１の側壁３２と補強プレート６１の貫通口６４の内壁との間には、隙間６２が存在する。又、ストッパー棒３１は、下部構造体２０に固定されているため、ストッパー棒３１の左方に位置する下部構造体２０から、ストッパー棒３１に対して力ｆがはたらく。このときの関係は、図２６で示した数１と同一の関係である。
【００３１】
図５の（２）を参照して、図２６の（２）で示したように従来の橋梁落下防止装置９１であれば、下部構造体２０が損傷する直前の状態である力Ｆｍが、かかった状態である。即ち、ストッパー棒３１の上部に対して、右方から水平方向の力Ｆｍが、かかった状態にあり、ストッパー棒３１の露出した上部は左方へ湾曲し、ストッパー棒３１の水平変位は、最大変位δにある。尚、ストッパー棒３１は、鋼製からなり、実際には撓む程度であり、ここでは分かり易く説明するために湾曲させている。
【００３２】
このとき、ストッパー棒３１の側壁３２は、補強プレート６１の貫通口６４の内壁に当接している。そのため、ストッパー棒３１の左方に位置する補強プレート６１から、ストッパー棒３１に対して、力ｆ２がはたらく。又、ストッパー棒３１の左方に位置する下部構造体２０から、力ｆ１がはたらく。よって、力Ｆｍと、力ｆ１と、力ｆ２との間の関係は、次式の数３のようになる。
【００３３】
【数３】
2019108658.tif 000005
数３から、次式の数４が導かれる。
【００３４】
【数４】
2019108658.tif 000006
即ち、力ｆ１は、Ｆｍ−ｆ２となることから、力Ｆｍよりも小さいといえる。又、上述の数２より、力Ｆｍは、力ｆｍと等しい。
【００３５】
又、補強プレート６１にかかった力ｆ２は、図６で示した４つのボルト２６ａ〜２６ｄの各々にかかる力Ｓと、補強プレート６１と下部構造体２０の上面２１との間にはたらく摩擦力ｎとに分散される。即ち、次式の数５の関係となる。
【００３６】
【数５】
2019108658.tif 000007
これらから、下部構造体２０にかかる力ｆ１は、力Ｆｍよりも小さくなる。又、図２６で示したように、従来の橋梁落下防止装置９１であれば下部構造体２０が損傷する力Ｆｍが加わっても、ストッパー棒３１の変形による下部構造体２０に加わる力が分散するため、下部構造体２０の損傷する可能性が低減する。
【００３７】
又、上述したように、補強プレート６１は、図６を参照して、ストッパー棒３１の全周を囲う貫通口６４が形成されているため、上部構造体５０の変位方向が制限されないため、補強の信頼性が向上する。
【００３８】
更に、ストッパー棒３１の変形による下部構造体２０に加わる力が、下部構造体２０に固定された４つのボルト２６ａ〜２６ｄへ分散するため、ボルト数が３つ以下の構造に比べて、下部構造体２０の損傷する可能性が更に低減している。
【００３９】
図７は、この発明の第２の実施の形態による連結構造体の補強プレートの状態を示す概略断面図であって、図６に対応した図である。
【００４０】
尚、この第２の実施の形態による連結構造体１２は、図１で示した連結構造体１１と基本的な構成は同一である。ここでは、その相違点を中心に説明する。
【００４１】
図を参照して、第２の実施の形態による連結構造体１２の補強プレート６１は、図６で示した連結構造体１１に比べて、係合穴７７の個数が８つに増えたものである。よって、８つの係合穴７７ａ〜７７ｈは、８つのボルト２６ａ〜２６ｈに係合している。従って、ボルト２６ａ〜２６ｈの各々の各々にかかる力Ｓが、図５で示した力Ｓよりも小さくなるため、補強の信頼性が向上する。
【００４２】
図８は、この発明の第３の実施の形態による連結構造体の使用状態を示す概略断面図であって、図１に対応した図であり、図９は、図８で示したＩＸ−ＩＸラインから見た概略断面図であり、図１０は、図８で示した連結構造体の上部構造体に力が加わり水平方向に変位した状態を示す概略断面図であって、図４に対応した図である。
【００４３】
尚、この第３の実施の形態による連結構造体１３は、図１で示した連結構造体１１と基本的な構成は同一である。ここでは、その相違点を中心に説明する。
【００４４】
これらの図を参照して、第３の実施の形態による連結構造体１３の上部構造体５０は、図１で示した連結構造体１１のストッパー孔５３は形成されておらず、代りに、ストッパー棒３１の全周を囲う貫通孔５６が形成された連結板５５を含んで構成される。
【００４５】
連結板５５は、平板形状を有し、その中央位置に貫通孔５６が形成され、上部構造体５０の側壁５２に固定されている。ここでは、連結板５５の厚さＨ３は、６２ｍｍに設定されている。又、連結板５５と補強プレート６１との間の長さＨ４は、２５ｍｍに設定されている。
【００４６】
ストッパー棒３１には、ゴム材料からなり、リング形状を有する緩衝材５９が取り付けられている。ストッパー棒３１の緩衝材５９は、連結板５５の貫通孔５６の内部に配置される。これにより、連結板５５からの受ける衝撃力により、ストッパー棒３１が損傷することを低減させる。
【００４７】
ストッパー棒３１の上部には、緩衝材５９の上面に当接するようにワッシャー４６及びナット４５が取り付けられている。
【００４８】
このように構成することによって、図１で示した連結構造体１１の上部構造体５０のストッパー孔５３に比べて、ストッパー棒３１の配置の自由度が拡がるため、上部構造体５０の配置が容易となる。
【００４９】
図１０を参照して、連結構造体１３の上部構造体５０に力が加わり水平方向に変位した状態にあっても、実線の矢印で示したように補強プレート６１に加わった力は分散するので、図４で示した連結構造体１１と同様の効果を奏する。
【００５０】
図１１は、図８で示した連結構造体の設置工程の一部を示す概略断面図であって、図８の“Ｘ”部分に対応した図であり、図１２は、図１１で示した設置工程に続く連結構造体の設置工程の他の一部を示す概略斜視図である。
【００５１】
図１１の（１）を参照して、下部構造体２０の上面２１に、ストッパー棒３１と、アンカー２４を固定設置する。
【００５２】
図１１の（２）を参照して、補強プレート６１の貫通口６４を、ストッパー棒３１の上部に挿し込むようにして、補強プレート６１を下部構造体２０の上面に載置する。そして、緩衝材５９の開口６０を、ストッパー棒３１の上部に挿し込んで取り付ける。
【００５３】
図１２の（１）を参照して、ボルト２６を、補強プレート６１の係合穴７７を介して、アンカー２４に螺合させる。これにより、補強プレート６１を下部構造体２０に固定する。
【００５４】
図１２の（２）を参照して、上部構造体５０を上方から下部構造体２０に降下させる。その際、連結板５５の貫通孔５６を、ストッパー棒３１の上部に挿し込む。そのとき、緩衝材５９は、連結板５５の貫通孔５６の内部に位置する。
【００５５】
そして、緩衝材５９の上面に当接するように、ワッシャー４６及びナット４５を、ストッパー棒３１に取り付ける。
【００５６】
図１３は、この発明の第４の実施の形態による連結構造体の補強プレートを示す概略断面図であって、図３に対応した図であり、図１４は、図１３で示した連結構造体の補強プレートを用いた設置工程の一部を示す概略断面図であり、図１５は、図１４で示した設置工程に続く連結構造体の設置工程の他の一部を示す概略斜視図であり、図１６は、図１５で示したＸＶＩ−ＸＶＩラインから見た概略断面図である。
【００５７】
尚、この第４の実施の形態による連結構造体１４は、図８で示した連結構造体１３と基本的な構成は同一である。ここでは、その相違点を中心に説明する。
【００５８】
図１３を参照して、第４の実施の形態による連結構造体１４の補強プレート６１は、図８で示した連結構造体１３では補強プレートが１枚であったのに対して、２枚の補強プレート６１からなる点と、連結構造体１３では開口であったものが切欠きに置き換わっている点とで相違している。
【００５９】
連結構造体１４の補強プレート６１は、一対の平板形状からなり、その各々の中央においてストッパー棒３１の周りに配置できる切欠き７０が形成され、一対の平板形状の一方に、一対の平板形状の他方を回転させて重ね合わせたときに、中央において重ねた切欠き７０が平面視においてストッパー棒３１の全周を囲うように形成されている。
【００６０】
設置に際して、図１４の（１）を参照して、連結構造体１４において、ストッパー棒３１が固定された下部構造体２０と、ストッパー棒３１に係合する連結板５５を有する上部構造体５０とが、既に設置された状態にある。
【００６１】
この状態において、下部構造体２０の上面２１に、アンカー２４を固定設置する。
【００６２】
図１４の（２）を参照して、補強プレート６１ａの切欠き７０ａを、ストッパー棒３１に係合させるように、水平方向から連結板５５と下部構造体２０との間を介して、補強プレート６１ａを下部構造体２０の上面に載置する。
【００６３】
図１５の（１）を参照して、補強プレート６１ｂの切欠き７０ｂを、ストッパー棒３１に係合させるように、水平方向から連結板５５と補強プレート６１ａとの間を介して、補強プレート６１ｂを補強プレート６１ａの上面に載置する。
【００６４】
このとき、図１６を参照して、補強プレート６１ｂは、補強プレート６１ａを平面視１８０度回転させたものに対応する。即ち、補強プレート６１ａと補強プレート６１ｂとを、平面視１８０度回転させて、ストッパー棒３１の全周に係合させている。これにより、補強プレート６１ａ及び６１ｂの各々を、各々の切欠き７０ａ及び７０ｂによってストッパー棒３１を平面視において囲うことができるため、既設のストッパー棒３１に対して、補強プレート６１の配置が可能となる。
【００６５】
図１５の（２）を参照して、ボルト２６を、補強プレート６１ｂの係合穴７７ｂ及び補強プレート６１ａの係合穴７７ａを介して、アンカー２４に螺合させる。これにより、補強プレート６１ａ及び６１ｂを下部構造体２０に固定する。
【００６６】
図１７は、この発明の第５の実施の形態による連結構造体を示す概略断面図であって、図９に対応した図である。
【００６７】
尚、この第５の実施の形態による連結構造体１５は、図８で示した連結構造体１３と基本的な構成は同一である。ここでは、その相違点を中心に説明する。
【００６８】
図を参照して、第５の実施の形態による連結構造体１５の下部構造体２０は、上面２１に固定された鋼製の固定用架台２８を含み、ストッパー棒３１は、固定用架台２８の固定部３０に固定され、補強プレート６１は、固定用架台２８の上面２９に取り付けられている。
【００６９】
固定用架台２８は、下部構造体２０の上面２１に、複数のアンカー２５によって固定設置されている。尚、アンカー２５は、図８で示した連結構造体１３のアンカー２４に比べて長さが短く、その本数はアンカー２４よりも多い。
【００７０】
このように構成することで、ストッパー棒３１を固定できないような下部構造体２０に対しても、固定用架台２８を介して、ストッパー棒３１を固定できるようになるため、固定用架台３１の損傷を低減すると共に、連結構造体１５における設置の自由度が向上する。
【００７１】
図１８は、この発明の第６の実施の形態による連結構造体を示す概略断面図であって、図８のＸ部分に対応した図であり、図１９は、図１８で示したＸＩＸ−ＸＩＸラインから見た補強プレートの状態を示す概略断面図である。
【００７２】
尚、この第６の実施の形態による連結構造体１６は、図１で示した連結構造体１１と基本的な構成は同一である。ここでは、その相違点を中心に説明する。
【００７３】
これらの図を参照して、第６の実施の形態による連結構造体１６は、概略的に言えば、図１で示した連結構造体１１に更にストッパー棒３１の周りに根巻コンクリート８５が設けられた構成である。
【００７４】
尚、図１で示した連結構造体１１では、ボルト２６とアンカー２４とを用いて、補強プレート６１を、下部構造体２０に直接固定する構成であったのに対し、連結構造体１６では、補強プレート６１は、根巻コンクリート８５の上面に取り付けられており、固定手段としてのアンカーボルト８７が根巻コンクリート８５から下部構造体２０にかけて埋設されており、アンカーボルト８７が補強プレート６１を介して根巻コンクリート８５を下部構造体２０に固定する構成である。
【００７５】
又、根巻コンクリート８５から下部構造体２０にかけて、鉄筋構造体８６が埋設されている。鉄筋構造体８６は、鉛直方向に延びるように配置され、根巻コンクリート８５から下部構造体２０にかけて埋設される鉛直鉄筋８８と、水平方向に延びるように配置され、鉛直鉄筋８８に溶接され、根巻コンクリート８５に埋設される水平鉄筋８９とから構成される。このように、鉄筋構造体８６によっても根巻コンクリート８５は下部構造体２０に固定されている。
【００７６】
このように構成したときの効果について、以下、更に図面を参照しながら説明する。
【００７７】
図２０は、図１８で示した連結構造体においてアンカーボルトを用いない場合の構成を示した比較図であり、図２１は、図２０で示したＸＸＩ−ＸＸＩラインから見た補強プレートの状態を示す概略断面図であり、図２２は、図２０で示した連結構造体において矢印Ｋ方向に水平力が加わった場合の状態を示す模式図である。
【００７８】
これらの図を参照して、図１８に示した連結構造体１６においてアンカーボルトを用いない連結構造体１７では、図２０で示す矢印Ｋ方向に水平力が加わった場合、図２２に示す実線矢印の方向に回転力が生じて、これにより根巻コンクリート８５の下端部の一方が浮き上がるような荷重が加わる。このような荷重が加わることで、根巻コンクリート８５から鉛直鉄筋８８が剥離すると、根巻コンクリート８５から鉛直鉄筋８８が抜け、これにより根巻コンクリート８５が浮き上がる。これに伴い、ストッパー棒３１の露出した上部の根元部分Ｐに荷重が集中するので、この根元部分Ｐ周辺の下部構造体２０が破損する、あるいはストッパー棒３１が根元部分Ｐにおいて破損するおそれがある。
【００７９】
再び、図１８及び図１９を参照して、連結構造体１６によれば、アンカーボルト８７が下部構造体２０に埋設されているので、鉛直鉄筋８８が根巻コンクリート８５から剥離するような荷重に対して、アンカーボルト８７の軸力（締め付け力）により鉛直鉄筋８８と根巻コンクリート８５との剥離を抑えるような抗力がはたらく。即ち、根巻コンクリートの下端部の一方が浮くような荷重がかかった場合、このような抗力により根巻コンクリートの浮き上がりを防止することができる。
【００８０】
よって、下部構造体の損傷する可能性が低減する。
【００８１】
又、アンカーボルト８７は、平板形状を有する補強プレート６１を介して、根巻コンクリート８５を下部構造体２０に締結しているため、上述した鉛直鉄筋８８と根巻コンクリート８５との剥離を抑えるような抗力を補強プレート６１の面で支持することができる。このため、根巻コンクリート８５の上面において部分的な荷重が加わらないので、根巻コンクリート８５の破損を防止することができる。即ち、補強プレート６１を用いることで、根巻コンクリートにかかる荷重を分散させることができるので、根巻コンクリートの耐久性の向上を図ることができる。
【００８２】
尚、上記の各実施の形態では、補強プレートは、特定形状に形成されていたが、例えば円板形状のように、その他の形状から形成されても良い。
【００８３】
又、上記の各実施の形態では、補強プレートは、特定の素材から形成されていたが、その他の素材から形成されても良い。
【００８４】
更に、上記の各実施の形態では、補強プレートは、貫通口が形成されていたが、ストッパー棒の周りに配置されると共に下部構造体の上面に取り付けられ、上部構造体が最大変位の状態にある時、変形したストッパー棒の側壁に当接するものであれば、貫通口はなくても良い。
【００８５】
更に、上記の各実施の形態では、補強プレートは、特定の寸法に形成されていたが、それ以外の寸法に形成されても良い。
【００８６】
更に、上記の各実施の形態では、上部構造体は、橋梁の橋桁であったが、それ以外のものであっても良い。
【００８７】
更に、上記の各実施の形態では、下部構造体は、特定の素材から形成されていたが、その他の素材から形成されても良い。
【００８８】
更に、上記の各実施の形態では、補強プレートに対して、特定数のアンカー及び特定数のボルトが下部構造体に形成されていたが、少なくとも４つがあれば良い。又は、１つ以上であっても良い。
【００８９】
更に、上記の各実施の形態では、ストッパー棒は、特定の素材から形成されていたが、その他の素材から形成されても良い。
【００９０】
更に、上記の各実施の形態では、補強プレートは、凹み部が形成されていたが、凹み部はなく、係合穴だけが形成されても良い。
【００９１】
更に、上記の第１及び第２の実施の形態では、ストッパー棒は、緩衝材が取り付けられないものであったが、緩衝材が取り付けられても良い。
【００９２】
更に、上記の第１から第４の実施の形態では、ストッパー棒は、下部構造体に特定の長さで埋設されたものであったが、それ以外の長さで埋設されても良い。
【００９３】
更に、上記の第３から第５の実施の形態では、連結板は、特定箇所に形成されていたが、上部構造体のそれ以外の箇所に形成されても良い。
【００９４】
更に、上記の第３から第５の実施の形態では、連結板は、特定の寸法に形成されていたが、それ以外の寸法に形成されても良い。
【００９５】
更に、上記の第５の実施の形態では、固定用架台は、アンカーで下部構造体に取り付けられてあったが、取付対象によっては例えば溶接のようにそれ以外の方法で取り付けられても良い。
【００９６】
更に、上記の第１から第３及び第５の実施の形態では、補強プレートは、１枚から形成されていたが、例えば貫通口を境にして半分に分割したものであるように、２つ以上に分割して形成されるものであっても良い。
【００９７】
更に、上記の各実施の形態では、ストッパー棒は、特定形状に形成されていたが、例えば角柱形状のように、それ以外の形状に形成されても良い。
【００９８】
更に、上記の各実施の形態では、連結構造体は、地震時に用いられるものであったが、例えば車の振動のように、それ以外の目的で用いられても良い。
【００９９】
更に、上記の第６の実施の形態では、根巻コンクリートを固定するアンカーボルトの数は、４本だったが、これに限られず、設計に応じて、その数を６本、８本などに変更しても良い。
【０１００】
更に、上記の第６の実施の形態では、根巻コンクリート及び下部構造体に鉄筋構造体が埋設されている構造だったが、鉄筋構造体は省略しても構わない。
【０１０１】
更に、上記の第６の実施の形態では、補強プレートを設ける構成であったが、補強プレートは省略しても構わない。
【０１０２】
更に、上記の第６の実施の形態では、固定手段としてアンカーボルトを用いる構成だったが、これに限られない。固定手段は、根巻コンクリートを下部構造体に固定できるものであれば良く、例えば、上記の第１の実施の形態で説明したように、ボルト及びアンカーを用いる構成であっても良い。
【符号の説明】
【０１０３】
１１〜１６…連結構造体
２０…下部構造体
２１…上面
２４…アンカー
２６…ボルト
２８…固定用架台
２９…上面
３１…ストッパー棒
３２…側壁
５０…上部構造体
５１…下面
５３…ストッパー孔
５５…連結板
５６…貫通孔
６１…補強プレート
６４…貫通口
７０…切欠き
７７…係合穴
８０…凹み部
８１…下面
８５…根巻コンクリート
８７…アンカーボルト
尚、各図中同一符号は同一又は相当部分を示す。
【図１】
2019108658.tif 000008
【図２】
2019108658.tif 000009
【図３】
2019108658.tif 000010
【図４】
2019108658.tif 000011
【図５】
2019108658.tif 000012
【図６】
2019108658.tif 000013
【図７】
2019108658.tif 000014
【図８】
2019108658.tif 000015
【図９】
2019108658.tif 000016
【図１０】
2019108658.tif 000017
【図１１】
2019108658.tif 000018
【図１２】
2019108658.tif 000019
【図１３】
2019108658.tif 000020
【図１４】
2019108658.tif 000021
【図１５】
2019108658.tif 000022
【図１６】
2019108658.tif 000023
【図１７】
2019108658.tif 000024
【図１８】
2019108658.tif 000025
【図１９】
2019108658.tif 000026
【図２０】
2019108658.tif 000027
【図２１】
2019108658.tif 000028
【図２２】
2019108658.tif 000029
【図２３】
2019108658.tif 000030
【図２４】
2019108658.tif 000031
【図２５】
2019108658.tif 000032
【図２６】
2019108658.tif 000033